(57)【特許請求の範囲】
【請求項１】
上部及び下部に開口部を有する円錐台形の本体と、当該本体の外側を被覆し、当該本体に対してスライド可能なカバー部と、当該本体上部に着脱自在に連結する天板と、当該本体の下部に着脱自在に連結する底面部を備え、本体及びカバー部には一又は複数の出入り穴が設けられていることを特徴とするアシナガバチ類用飼育容器。
【請求項２】
本体及びカバー部に設けられた一又は複数の出入り穴の短軸方向の幅が６〜８ｍｍであることを特徴とする請求項１記載のアシナガバチ類用飼育容器。
【請求項３】
本体に対してカバー部を水平方向に回転させることによって、当該本体に設けられた穴と当該カバー部に設けられた出入り穴の位置を調整可能であることを特徴とする請求項１又は２記載のアシナガバチ類用飼育容器。
【請求項４】
底面部に、抜き差し自在のトレー及び当該トレーを出し入れする穴が設けられていることを特徴とする請求項１〜３のいずれか記載のアシナガバチ類用飼育容器。
【請求項５】
本体の上端に突起部が設けられており、天板には、当該突起部と連結する開口部連結穴、及び、アシナガバチ類用飼育容器を把持するための把持部が設けられていることを特徴とする請求項１〜４のいずれか記載のアシナガバチ類用飼育容器。
【請求項６】
本体の内側面、天板の下面部、又は底面部の一部又は全部において樹皮が被覆されていることを特徴とする請求項１〜５のいずれか記載のアシナガバチ類用飼育容器。
【発明の詳細な説明】
【技術分野】
【０００１】  本発明は、安全にアシナガバチ類を飼育・運搬が可能であり、ヒメスズメバチからの保護もできるアシナガバチ類用飼育器に関する。
【背景技術】
【０００２】  アシナガバチ類は地上に育房がむき出しとなった巣を作り、夜は全個体が巣に戻って休む性質がある。また、人がアシナガバチ類に刺された際、アナフィラキシーショックを起こすこともあり、扱いには注意を要する。さらに、天敵としてアシナガバチ類を専食し、国内のアシナガバチ類よりも大型であるヒメスズメバチがおり、ヒメスズメバチに巣を襲われた場合、巣を放棄してしまうこともあると知られている（非特許文献１参照）。【０００３】  従来、様々な養蜂箱に関する技術が開示されており、たとえば、少なくとも巣箱本体の一側面に開口して形成してある巣門と、動かしてまたは変形して巣門を開閉する開閉扉と、巣門を一旦閉じると開けるための操作をしなければ開くことができず、逆に、巣門を一旦開けると閉じるための操作をしなければ閉じることができないように開閉扉の動きを制御する扉制御部材と、を備えた養蜂箱における巣門構造が開示されている（特許文献１参照）。しかしながら、かかる文献には、巣門の開閉の機構は存在しても、その巣門の縦と横の幅を自由に変えられるというものではなかった。【０００４】  また、蜜蜂巣箱の側板に設けられる通気窓および巣門の開閉構造であって、複数の通気窓と１つの巣門をそれぞれ同じ位置に設けた表板および裏板と、該表板と裏板との間に挟まれて一定方向に往復移動可能に設けられたスライド部材と、前記通気窓の開口を通気可能に封止する網体とを備え、前記スライド部材はスライド部材が所定の位置にあるときに表板および裏板の通気窓と対応する位置に通気開口を備え、表板および裏板の通気窓とスライド部材の通気開口はともにスライド部材の移動方向に沿って複数形成され、スライド部材を移動して通気窓と通気開口の位置が一致して連通したときに通気窓が開くとともに、スライド部材を移動して通気窓と通気開口の位置が互い違いになったときに通気窓が閉じ、さらに、通気窓を開く位置にスライド部材を移動したときにスライド部材の一部が巣門を塞ぎ、通気窓を閉じる位置にスライド部材を移動したときに巣門が開く蜜蜂巣箱の通気窓および巣門の開閉構造が開示されている（特許文献２参照）。しかしながら、かかる文献は、表板、裏板、スライド部材、網窓板の４つの部材で通気窓を調整しており、構造が複雑であった。
【先行技術文献】
【特許文献】
【０００５】
【特許文献１】特開２００４−２０１５９２号公報
【特許文献２】特開２０１７−１４３７４３号公報
【非特許文献】
【０００６】
【非特許文献１】藤丸篤夫著「ハチハンドブック」文一総合出版  ２０１４年
【発明の概要】
【発明が解決しようとする課題】
【０００７】  本発明は、飼育するアシナガバチ類の適切な管理や天敵であるヒメスズメバチからの保護が可能であり、飼育者がアシナガバチ類の飼育や巣の運搬を安全に行えるような飼育容器の提供を課題とするものである。
【課題を解決するための手段】
【０００８】  上記のアシナガバチ類の性質や人間への危険性を踏まえた上で、大きさを自由に変えられるアシナガバチ類の出入り口を持ち、アシナガバチ類による刺傷の危険を少なくアシナガバチ類を飼育・運搬が可能であり、天敵であるヒメスズメバチからの保護もできる飼育器を検討し、本発明を完成した。【０００９】  すなわち、本発明は、以下のとおりである。
〔１〕上部及び下部に開口部を有する円錐台形の本体と、当該本体の外側を被覆し、当該本体に対してスライド可能なカバー部と、当該本体上部に着脱自在に連結する天板と、当該本体の下部に着脱自在に連結する底面部を備えることを特徴とするアシナガバチ類用飼育容器。
〔２〕本体及びカバー部には一又は複数の出入り穴が設けられていることを特徴とする上記〔１〕記載のアシナガバチ類用飼育容器。
〔３〕本体及びカバー部に設けられた一又は複数の出入り穴の短軸方向の幅が６〜８ｍｍであることを特徴とする上記〔１〕又は〔２〕記載のアシナガバチ類用飼育容器。
〔４〕本体に対してカバー部を水平方向に回転させることによって、当該本体に設けられた穴と当該カバー部に設けられた出入り穴の位置を調整可能であることを特徴とする上記〔１〕〜〔３〕のいずれか記載のアシナガバチ類用飼育容器。
〔５〕底面部に、抜き差し自在のトレー及び当該トレーを出し入れする穴が設けられていることを特徴とする上記〔１〕〜〔４〕のいずれか記載のアシナガバチ類用飼育容器。
〔６〕本体の上端に突起部が設けられており、天板には、当該突起部と連結する開口部連結穴、及び、アシナガバチ類用飼育容器を把持するための把持部が設けられていることを特徴とする〔１〕〜〔５〕のいずれか記載のアシナガバチ類用飼育容器。
〔７〕本体の内側面、天板の下面部、又は底面部の一部又は全部において樹皮が被覆されていることを特徴とする上記〔１〕〜〔６〕のいずれか記載のアシナガバチ類用飼育容器。
【発明の効果】
【００１０】  本発明の本体に付属しているカバー部を水平方向に回転させたり、垂直方向に移動させたりすることにより、本体とカバー部に設けられているアシナガバチ類の出入り及び餌等の搬入口となる同形の穴の大きさを自由に変えることができる。そのため、アシナガバチ類を専門に襲うヒメスズメバチからの保護と、アシナガバチ類の巣の安全な管理及び運搬を可能としている。
【図面の簡単な説明】
【００１１】
【図１】本発明のアシナガバチ類用飼育容器の全体図である。
【図２】本体の側面斜め上方からの見取り図である。
【図３】カバー部の側面斜め上方からの見取り図である
【図４】ヒメスズメバチ（左）とキアシナガバチ（右）の写真である。
【図５】天板の上方からの見取り図である。
【図６】底面部に差し込んで使用するトレーの上方からの見取り図である。
【発明を実施するための形態】
【００１２】  本発明のアシナガバチ類用飼育容器は、上部及び底面部に開口部を有する円錐台形の本体と、当該本体の外側を被覆し、当該本体に対してスライド可能なカバー部と、当該本体上部に着脱自在に連結する天板と、当該本体の下部に着脱自在に連結する底面部を備えることを特徴とするアシナガバチ類用飼育容器であり、屋内又は屋外に、吊り下げるか置くなどをして用いる。
【００１３】  アシナガバチ類とは、日本国内に生息する既知種のアシナガバチ属、ホソアシナガバチ属、チビアシナガバチ属に属するハチを意味する。アシナガバチ属としてはキアシナガバチ、セグロアシナガバチ、フタモンアシナガバチ、トガリフタモンアシナガバチ、コアシナガバチ、キボシアシナガバチ、及びヤマトアシナガバチを挙げることができる。チビアシナガバチ属としては、ナンヨウチビアシナガバチ及びオキナワチビアシナガバチを挙げることができる。ホソアシナガバチ属としては、ヒメホソアシナガバチ、ムホンホソアシナガバチを挙げることができる。
【００１４】  本体は円錐台形であり、上部及び下部に開口部を有している。上部には天板が、下部には底面部が着脱自在に連結する。
【００１５】  本体の材質はアシナガバチ類や天敵であるヒメスズメバチにより損壊されない硬度を持ち、通気性が良く、日光による劣化が少なく、また日光により温度が上がりすぎないような素材を用いることが望まれる。具体的には、金網、鉄、ステンレス、木材等を挙げることができる。カバー部及び又は底面部との連結を磁石によって行う場合には、磁石が付着する材質、たとえば鉄、ニッケル、コバルト、若しくは鉄を含有するステンレスを用いることができる。
【００１６】  カバー部は本体と着脱自在に連結しており、水平方向、垂直方向に自由にスライドさせて本体との位置をずらすことが可能となる。この機構によってアシナガバチ類用飼育容器の出入り穴の大きさを自在に変えることができ、ヒメスズメバチ等のスズメバチの飼育容器内への侵入を防ぐとともに、安全な飼育と運搬が可能である。
【００１７】  カバー部の材質はアシナガバチ類や天敵であるヒメスズメバチにより損壊されない硬度を持ち、通気性が良く、日光による劣化が少なく、また日光により温度が上がりすぎないような素材を用いることが望まれる。具体的には、金網、鉄、ステンレス、木材等を挙げることができる。カバー部の形状は特に制限されないが、円錐台形とすることで、よりコンパクトに本体と積み重ねて運搬と保管ができる。
【００１８】  本体及びカバー部にはアシナガバチ類が通る出入り穴が一又は複数設けられている。かかる出入り穴は、アシナガバチ類が通り、かつスズメバチが通らない幅であり、短軸方向の幅が６〜８ｍｍ、好ましくは６．５〜７．５ｍｍである。長軸方向の幅は６〜１００ｍｍ、好ましくは６．５〜５０ｍｍ、より好ましくは７〜１０ｍｍである。ヒメスズメバチはアシナガバチ類よりも胴体の幅が広いため、出入り穴を６〜８ｍｍとすることで、ヒメスズメバチが通れず、アシナガバチ類ならば出入り可能なる。なお、地域、環境、時期によってヒメスズメバチの大きさも異なることから、ヒメスズメバチの侵入を防げる限り、出入り穴の幅を６ｍｍ、６．５ｍｍ、７ｍｍ、７．５ｍｍ、８ｍｍに調整可能である。
【００１９】  出入り穴の数における複数としては、２以上、３以上、５以上、７以上、１０以上、２０以上でもよく、本体とカバー部の出入り穴の数は同数でも異なってもよい。また、カバー部をスライドさせることによって本体とカバー部の出入り穴の幅を調整することが可能となる。
【００２０】  出入り穴の形状としては、長方形、正方形、円、楕円等を挙げることができる。また、出入り穴はアシナガバチ類用飼育容器の通気性を高める効果もある。
【００２１】  天板の材質は、アシナガバチ類や天敵であるヒメスズメバチにより損壊されない硬度を持ち、日光による劣化が少なく、また日光により温度が上がりすぎないような材質を用いることが望まれる。また、雨から巣を守る観点から、水が染み込まない素材を用いることが好ましい。具体的には、鉄、ステンレス、木材等を挙げることができる。
【００２２】  天板は本体上部に着脱自在に連結する。かかる天板により本体の上方の開口部を覆うことができる。当該天板にフックや突起等のアシナガバチ類用飼育容器を把持するための吊り具等を設けることで、アシナガバチ類用飼育容器の運搬を容易にすることができる。天板に吊り具を固定する方法は特に制限されないが、ネジ状の構造を挙げることができる。また、天板の内側には凸状の巣支持部を設けてもよく、かかる巣支持部を起点としてアシナガバチ類がアシナガバチ類用飼育容器内に巣を形成することが容易となる。
【００２３】  底面部の材質は金網、鉄、ステンレス、木材等を挙げることができる。カバー部の形状は特に制限されないが、円錐台形とすることで、よりコンパクトに本体と積み重ねて運搬と保管ができる。底面部には抜き差し自在のトレー及び当該トレーを出し入れするトレー出し入れ口を設けてもよい。かかるトレー出し入れ口から当該トレーを出し入れできることから、アシナガバチ類の排泄物などにより底面部の底に汚れが溜まるのを防ぐと共に、掃除が簡単となる。トレーには把持部を備え、トレーを底面部に設置した際にアシナガバチ類用飼育器外に位置する把持部にアシナガバチ類の巣の材料となる樹皮を設置してもよい。また、樹皮を設置しやすくするために、把持部をいわゆる菊割れゴム形状としてもよい。
【００２４】  底面部には、餌の出し入れを行うための、餌の出し入れ用穴が設けられていてもよい。かかる餌の出し入れ用穴は通常は塞がれており餌の出し入れを行う際に開放される構造を挙げることができ、底面部が磁石の付着する材料によって形成されている場合には、餌の出し入れ用穴を磁石で塞いでもよい。
【００２５】  本体とカバー部の連結、本体と天板との連結、及び本体と底面部との連結方法は特に制限されないが、磁石、面ファスナー、凹凸による嵌合構造、突起と穴の組み合わせ等を挙げることができる。たとえば、本体の上端に突起部を設け、天板には当該突起部と連結する開口部連結穴を設けることで、本体と天板を着脱自在に連結が可能である。
【００２６】  本体の内側面、カバー部の下部、又は底面部の一部又は全部において樹皮が被覆されていてもよい。アシナガバチ類は樹皮を材料として巣を作る習性があること、樹皮は断熱性があることから、樹皮で被覆されることで、アシナガバチ類用飼育器内での巣が形成されやすくすると共に、日光によるアシナガバチ類用飼育器内の温度上昇を低減することが可能となる。
【実施例】
【００２７】  以下、実施例により本発明をより具体的に説明するが、本発明の技術的範囲はこれらの例示に限定されるものではない。【００２８】  図１は本発明のアシナガバチ類用飼育容器１の全体図であり、本体１１とカバー部１２と天板１３と底面部１４から構成され、それぞれが着脱自在に連結している。それぞれの部材を分離可能であるため掃除がしやすく、運搬する際にもコンパクトに収めることができ、かさばらない。【００２９】  また、図２、３に示すように本体１１は鉄を含む金網からなり、カバー部１２の内側には本体１１に固定するための磁石２１が付属しており、本体下部には底面部を固定するための磁石２２が付属している。さらに、本体１１の上端には、天板と連結するための突起部２３を備えている。なお、図１、３におけるカバー部の内側の磁石２１は手前側のみを示している。【００３０】  図２に示した本体１１と図３に示したカバー部１２には、それぞれ短軸方向の幅が７ｍｍ、長軸方向の幅が５０ｍｍの長方形で同形の出入り穴２４、２５が空けられており、この出入り穴２４、２５がアシナガバチ類の出入り口及び餌入れ口となる。図４に示すように左側のヒメスズメバチは胴体の幅が８ｍｍ以上あり、出入り穴２４、２５を通過できない。一方、右側のアシナガバチは幅が７ｍｍ未満であり、出入り穴２４、２５を通過できる。なお、図１〜３における出入り穴２４、２５は手前側のみを示している。【００３１】  カバー部１２を水平方向や垂直方向にスライドすることで、出入り穴２４、２５によって形成される出入り口の大きさを簡単に自由に変えられるため、屋内で飼育する際はアシナガバチ類が脱走しないよう餌を入れるために必要な最小限の開閉をし、屋外に設置する際は、アシナガバチ類が自由に出入り可能な幅にしておくことが望ましい。【００３２】  図５に示した天板１３において、本体上端の突起部２３を引っ掛けるための開口部連結穴２７、２８が空いている。吊り具２６はネジ状の構造により天板１３と固定される。【００３３】  本体１１と天板１３は、本体上端の突起部２３と天板１３に設けられた開口部連結穴２７、２８を連結することで固定される。【００３４】  図６は、図１の底面部１４に空いているトレー出し入れ口２９から差し込んでアシナガバチ類の排泄物などにより底面部１４の底に汚れが溜まるのを防ぎ、掃除を簡単にするためのトレー３０であり、把持部３１が２カ所形成されている。その把持部３１のうち１つはいわゆる菊割れゴム形状となっており、樹皮を垂直方向に刺して固定可能となっている。
【産業上の利用可能性】
【００３５】  アシナガバチ類は農業において害虫を捕食する益虫とされており、畑周辺に巣を設置することで生物農薬としての活躍が期待でき、有機又は低農薬の農法に利用できる。
【符号の説明】
【００３６】１  アシナガバチ類用飼育容器
１１  本体
１２  カバー部
１３  天板
１４  底面部
２１  磁石
２２  磁石
２３  突起部
２４  出入り穴
２５  出入り穴
２６  吊り具
２７  開口部連結穴
２８  開口部連結穴
２９  トレー出し入れ口
３０  トレー
３１  把持部
【要約】
【課題】本発明は、飼育するアシナガバチ類の適切な管理や天敵であるヒメスズメバチからの保護が可能であり、飼育者がアシナガバチ類の飼育や巣の運搬を安全に行えるような飼育容器の提供を目的とする。
【解決手段】飼育容器本体とカバー部にハチの出入り口及び餌等の搬入口となる同形の穴を設けており、カバー部は上下左右に動かせるようになっているため、この機構によって飼育容器の出入り穴の大きさを自在に変えることができ、ヒメスズメバチの飼育容器内への侵入を防ぐとともに、安全な飼育と運搬が可能である。また、ヒメスズメバチは日本国内に生息するどのアシナガバチ類よりも胴体の幅が広いため、出入り穴はヒメスズメバチが通れず、アシナガバチ類は出入り可能な大きさで空けられている。
【選択図】なし【図１】
0006808866.tif 000002
【図２】
0006808866.tif 000003
【図３】
0006808866.tif 000004
【図４】
0006808866.tif 000005
【図５】
0006808866.tif 000006
【図６】
0006808866.tif 000007